Podtech/llm-jp-corpus-v4-ja_patent huggingface dataset:
(57)【要約】【課題】無機ＥＬ板といわれている無機エレクトロニック・ルミネックスを各種用途に利用する点の開発に関する。【解決手段】無機ＥＬ板は残光時間が長く安定性に優れているため種々の用途に適していることを見出し、しかも大型のものも発光むらが出ないため、看板や広告等に又は室内の照明としても利用できる。【特許請求の範囲】
【請求項１】
無機質蛍光材料を使用した無機ＥＬ板を利用して各種の表示板等に使用する無機ＥＬ板の利用方法。
【発明の詳細な説明】
【０００１】
【発明が属する技術分野】
本発明は無機ＥＬ板といわれている無機エレクトロニック・ルミネッセンスを各種用途に使用する無機ＥＬ板の利用方法に関する。
【０００２】
【従来の技術】
炭素などを含む導電体に無機質の蛍光材料を加えた発光体に電圧をかけて発光させる無機ＥＬは、同じような発光体である有機ＥＬとして最近特に利用されてきている。
【０００３】
近年、「ハイテクインフォメーション」・Ｎｏ．８０（１９９６）Ｐ．１８又は「ＫＥＣ情報」Ｎｏ．１７３（２０００）Ｐ．２５にエレクトロニックルミネッセンスについて詳しい記事が掲載されてからは、各技術分野で利用されてきている。
【０００４】
【発明が解決しようとする課題】
しかし、上記公知文献によると、有機ＥＬに比較して無機ＥＬの方が利用価値が少ないとされている。これは有機ＥＬが注入再結合型であるのに対して、無機ＥＬは衝突励起型であって、両者を比較してみると性能的に有機ＥＬの方が使い易い点があった。
【０００５】
【課題を解決するための手段】
発明者は無機ＥＬについて種々研究を重ねた結果、本発明を完成させたものであって、本発明の無機ＥＬは残光の時間変化が電子系の直接あずかる励起状体の寿命のため、無機ＥＬディスプレイが長寿命であり、安定性の点で優れていて、耐環境性があるため種々の用途に適していることを見出した。
【０００６】
【発明の実施の形態】
無機ＥＬは材料としては半導体や蛍光体の中の無機材料を使用するため、発光機構は高電界衝突励起型であり、使用する電流は交流電源を使用するため一般でも手軽に利用できる。
【０００７】
そして駆動電力は２００Ｖ・１００Ｖと一般家庭用の電力が使用でき、成形されたＥＬ板は厚さが０．３〜０．８ｍ／ｍと極く薄にフィルム状に成形が可能であり、特に大型化の成形が可能であって、ベニヤ板一枚程度であれば成形が容易である。そして通電中も発熱が殆どない。また電源については、乾電池やバッテリーでも使用できる。
【０００８】
【実施例】
フィルムの面積はマッチ箱程度の小さいものからベニヤ板１枚位までの大型のものまで可能であり、印刷も自由にできる。そして明るさもあり、テーブル大のフィルムであれば新聞紙が自由に読める程度の照度があり、光色は青白色で落着いた光であるため、下地色を使用することによって適宜な変色が可能である。
【０００９】
使用例としては広告、看板等が文字や図柄が浮き上って表われるため最も適しているが壁の一部に照明用として、さらには大型のフィルムを数枚使用すれば結婚式場のバージンロードなどに用いて優雅に演出できる。
【００１０】
このように本発明の無機ＥＬ板は、照明用、装飾用等広く使用でき、最大の特徴はシートのみで器具を用いないため厚さがないところである。
【００１１】
【発明の効果】
上述のように、本発明の無機ＥＬ板は、従来から知られている高分子材料を使用した有機ＥＬに比較して、大型化が可能となったため、広告等は勿論のこと照明を兼ねた建材として、また従来のように小形品のディスプレイとして巾広く使用できる利用上装飾用照明として卓越した効果を奏する。
(57)【要約】【課題】この課題は軽度の難聴では補聴器の使用をもてあます、また遠近両用目がねは常に掛け通すものであるがフレームのゆるみがあると不適正な使用になる。【解決手段】目がねテンプル耳当てに係留される止め具に、一体の当て板を頭部側と耳翼側双方に接触させることで目がねを顔にフイットさせると共に耳翼が顔面前方へ向くことで音声の吸収を強めることが出来る。【選択図】図２
2004280030.tif 000002
【特許請求の範囲】
【請求項１】
止め具（１）が湾曲した当て板（２）の上部内側に固着され、前記当て板（２）の上部が耳上側頭に接触し、下部が耳翼裏に接触するように形成され、耳当てテンプルに係留されて、目がねフレームを顔に固定させる働きをする視聴力補助具。
【請求項２】
前記当て板（２）は耳翼を前方向きに起こす働きをするように構成されて成る請求項１記載の視聴力補助具。
【発明の詳細な説明】
【０００１】
【発明の属する技術分野】
本発明は目がね及び補聴具の使用方法に関するものである。
【０００２】
【従来の技術】
目がねフレームは顔にフイットするように材料や形状の多種類がある。
補聴器は耳に挿入するものと耳翼に装着するものがある。
【０００３】
【問題が解決しようとする課題】
これは次のような欠点があった。
イ、目がねのフレームが外部のものに触れたりして、ずれたりすると使用が不適正になる。
ロ、つい顔から外しやすい目がねであるために、置き場所をえらばなくなりいざ使う段になって探すことがある。
ハ、目がねによる視力と補聴器による聴力向上はともに相乗的効果があるが、着用に違和感を覚えると使用をあきらめてしまうことがある。
【０００４】
【課題を解決しようとする手段】
上記の問題点を解決するために、弾性力のある板金材をＵ字形に形成した止め具（１）を、弾性力のあるプラスチック材を湾曲に形成した当て板（２）の上部内側に接着剤で固定し、当て板（２）の上部面で耳上側頭に接触させ、下部面で耳翼裏に接触し、テンプルに係留して目がねフレームを顔に完全に固定させる、同時に耳翼は当て板（２）の圧力を受け顔面前方向きに起こされる、本発明は、以上のような構成よりなる視聴力補助具である。
【０００５】
【発明の実施の形態】
以下本発明の実施例について説明する、Ｕ字形に形成された止め具（１）が当て板（２）の湾曲内面上部で一体化し、当て板（２）は上部の外側面で耳上側頭に接触し、下部外側面で耳翼裏を、目がねテンプルに係留させることで目がね固定と合わせて耳翼が顔面前方に向かうため音声の吸収が強まる。
【０００６】
【発明の効果】
音声の吸収が強まることにより軽度の難聴であれば目がねとの相乗効果を奏し会話にも力がでて充実した日常生活がすごしやすくなる。
【図面の簡単な説明】
【図１】本発明の斜視図である。
【図２】本発明の実施図である。
【符号の説明】
１  止め具
２  当て板
３  テンプル
【図１】
2004280030.tif 000003
【図２】
2004280030.tif 000004
(57)【要約】【課題】従来の広告手法では、一つの商品広告で複数の商品広告効果があるものはなく、かつ、個人消費において商品を使用すればするほど現金収入が増加するとような広告がない。【解決方法】個人消費の拡大と広告内容を密度を高く広範囲に広めるため、個人所有の乗用車に広告を掲載し、その走行距離に比例した広告料金を支払うシステムを考えた。これにより、広告効果や一時所得の増大、個人消費の増大、無事故無違反の促進が図れる。【選択図】  図１
2004280029.tif 000002
【特許請求の範囲】
【請求項１】
個人所有の乗用車を広告媒体とし、その乗用車の自動車メーカーと広告主が共同で乗用車の所有者に広告料金を支払うシステム。
【請求項２】
一定期間内に走行した距離に比例して広告料金を支払うシステム。
【発明の詳細な説明】
従来の車体広告はバス会社やタクシー会社が広告主と契約し、広告掲載料金を定額で行っていますが、個人消費の拡大を目的に新車販売と併せて、広告主の商品やブランド名、企業名等の広告を広範囲高密度に行うと共に、走行距離に比例した広告料金を支払うシステムを考えた。
【０００１】
広告主の販売不振地区における地域限定広告や、新車の重点販売車種（低公害車等）を限定した販売促進ができる。
【０００２】
走行距離に比例して広告料金が増加するため、乗用車所有者は外出機会が増加し、ガソリン費をはじめとして、乗用車の消耗品費、外食費、飲料費、衣料費、観光等の個人費用が拡大する。
【０００３】
広告掲載車が交通違反や交通事故を起こすと広告物のイメージダウンにつながるため無事故無違反を契約条件とし、事故率の低下策として考え社会的な貢献策とした。
【０００４】
無事故無違反を条件とするため、従来の自動車保険より割安な自動車保険が開発され、新たな自動車保険が促進される。
【０００５】
【発明の属する分野】
本発明は、一般消費者の乗用車を利用した広告掲載に関する。
【０００６】
【従来の技術】
従来の車体広告は自社の車に自社の広告だけを掲載している。
【０００７】
近年では広告の規制が緩和されたため、路線バスやタクシーの車体を広告媒体として利用され、広告期間に応じた広告料金となっている。
【０００８】
一般消費者が使用する乗用車の走行距離に比例した広告料金支払いシステムになっていない。
【０００９】
乗用車の交通事故率、交通違反率の低下の決定的方法がない。
【００１０】
【発明が解決しようとする課題】
従来の車体への広告掲載方法では商品や企業名等の告知が主目的であり、他の商品等への波及効果がない。
【００１１】
このシステムは消費者の乗用車を広告媒体とすることにより、消費者の一時所得を増加させる。
【００１２】
このシステムは乗用車の使用頻度を促進させることにより、個人消費の拡大を主目的としている。
【００１３】
また、このシステムで乗用車の使用頻度を増加させ、広告掲載の認知範囲と密度を高め広告効果をあげる。
【００１４】
さらに、このシステムでの交通事故、交通違反の低下も目的の一つとしている。
【００１５】
【課題を解決するための手段】
【００１６】
そして、本発明は上記目的を達成するために自動車メーカーと広告主が共同で、広告主が指定する広告を、自動車メーカーが販売した乗用車にその広告を掲載し、広告期間を定めてその走行距離に比例して、乗用車の購入者へ広告料金を支払うシステムである。
【００１７】
また、個人消費や一時所得及び、広告効果を高めるため、走行距離に比例して広告料金が増加するようにした。
【００１８】
さらに、広告のイメージを健全に保つため、広告掲載される乗用車の購入時に無事故、無違反の契約を締結し、交通事故や交通違反を低下させる方法とした。
【００１９】
【発明の実施形態】
以下、本発明について図１に基づいて説明する。
【００２０】
図において、自動車ディーラーは自動車メーカーと広告主が合意した広告内容及び販売策に基づき、一般消費者に広告掲載車の販売を行う。
【００２１】
自動車ディーラーは新車購入者、自動車メーカー、広告主との三者で広告掲載期間を定め、走行距離に比例した契約締結を行う。
【００２２】
この時、自動車メーカーと広告主は、広告料の支払い比率の契約を行う。
【００２３】
広告掲載の取り付けに係わる費用は自動車メーカーとし、車体への広告入りラッピングシート等の費用は広告主が負担する。
【００２４】
走行距離測定器は自動車メーカーの負担で取り付ける。
【００２５】
広告掲載乗用車の所有者は一定期間終了後自動車ディーラーに走行距離の承認を得て、走行距離に応じた金額を請求する。
【００２６】
自動車ディーラーは走行距離を承認した後、走行距離測定器と広告掲載物を取り外す。
【００２７】
自動車ディーラーは自動車メーカーと広告主に走行距離の報告を行うと共に、走行距離に応じた金額と、あらかじめ上記三者で定めた広告掲載取扱手数料を請求する。
【００２８】
自動車ディーラーは定められた期間内に請求金額を当該者に支払う。
【００２９】
【発明の効果】
上述したように本発明の車体広告は、走行距離に比例したキャッシュバックの効果で一時所得を増加させ、新車の購入機会と外出機会を増大させるとともに、広告地域の拡大と密度を増加させることができます。
【００３０】
また、外出機会を増大させることにより、他の商品の消費も促し、個人消費の拡大につながります。
【００３１】
さらに、無事故、無違反の契約を行うため、安全運転の促進に役立ちます。
【図１】
2004280029.tif 000003
【手続補正書】
【提出日】平成15年8月20日(2003.8.20)
【手続補正１】
【補正対象書類名】明細書
【補正対象項目名】図面の簡単な説明
【補正方法】変更
【補正の内容】
【図面の簡単な説明】
【図１】一般消費者が新車購入時に、自動車メーカーと広告主との間で三社契約を行う。
契約内容は一定期間内における走行距離に比例した広告料とする。
走行距離の確認や広告内容の掲示については自動車ディラーまたは広告代理店が行う。
自動車ディーラーまたは広告代理店は契約内容に応じて新車購入者にキャッシュバックを行う。
自動車メーカーと広告主は契約内容に応じた費用を自動車ディーラーまたは広告代理店に支払う。
(57)【要約】【課題】屋外でも気軽に石鹸で手を洗うことが出来る携帯性に優れ、使い勝手が良く、ファッション性にも優れた石鹸をつくるのが目的である。【解決手段】粉状、またはゲル状、ゾル状等にした石鹸（２）をゼラチン、グリセリンなどからなる水溶性の皮膜（１）で覆い、皮膜が水に溶けて石鹸として使えるカプセル型せっけんでケースに入れ携帯出来るようにした。【選択図】  図１
2004277490.tif 000002
【特許請求の範囲】
【請求項１】
粉状、またはゲル状、ゾル状等にした石鹸（２）を、ゼラチン、グリセリンなどからなる水溶性の皮膜（１）で覆い、皮膜が水に溶けて石鹸として使えるカプセル型せっけん。
【発明の詳細な説明】
【０００１】
【発明の属する技術分野】
この発明は、携帯性、利便性に優れた屋外でも気軽に石鹸で手を洗うことが出来るカプセル状にしたカプセル型せっけんに関する。
【０００２】
【従来の技術】
固形石鹸、液体石鹸では屋外での使用の際、携帯性に不便であり水洗いだけの不衛生な手洗いになってしまっている。
【０００３】
携帯性のあるせっけんとして、特開平０８−０６０１９９号公報では、紙石鹸が提案されている。
【０００４】
また、それ以外に、携帯用の小型容器に入れた液体せっけん（ハンドソープ）がある。
【０００５】
また、さらにそれ以外に、特開２００２−０２０７９９号公報では、リップスティックのようにケースに出入可能な携帯用石鹸が提案されている。
【０００６】
また、さらにそれ以外に、特開２００２−０６０７９９号公報では、石鹸を練り状のチューブにしたものが提案されている。
【０００７】
また、洗面所、洗い場に備え付けの石鹸は、汚くなった固形石鹸であったり、成分が分からない石鹸であったりする。
【０００８】
【発明が解決しようとする課題】
以上の従来技術によれば、携帯性が不便であったり、使用出来るまでに時間が掛かったり、衛生的に問題があったりした。
そこで、この発明は、携帯性に優れ、使い勝手が良く、ファッション性にも優れた石鹸の提供を目的とするものである。
【０００９】
【課題を解決するための手段】
本発明は、カプセル型せっけんであって、上記問題点を解決するために、粉状、またはゲル状、ゾル状等にした石鹸１を、ゼラチン、グリセリンなどからなる水溶性の皮膜２で覆い、カプセル状にしたものである。
【００１０】
なお、上記の石鹸１は洗剤として作用するものをすべて含むものである。
【００１１】
また、皮膜２はゼラチンからなるハードカプセルやゼラチン、グリセリンからなるソフトカプセルの他、オブラートなどの水溶性シート類をおひねり状や圧接した中身を包み込めるものであればよい。
【００１２】
【作用】
本発明は、前述のカプセル状にすることで、普段はケースに入れ携帯が出来、使用する際ケースから１個取り出すが水に付けるまで固形なのでケースからの取り出しが楽で、水に付けると液体状になり使い勝手が良い。
【００１３】
図２のようないろいろな形や色のカプセルにすることでファッション性に優れ、アクセサリーとしても使える。
【００１４】
【実施例】
以下、本発明の実施例を説明する。
【００１５】
図３に示すものは、携帯用のケースの例であって、ケース３の中にカプセル型せっけんを入れ、使用する際、ふた部４を開けカプセル型せっけんを取り出し使用する。
【００１６】
カプセル型せっけんは、図２のようにいろいろな形が出来、色も多彩に出来るので、ケースは透明な材料を使用することが望ましい。
【００１７】
図４に示すものは、洗面所や洗い場に第三者が容易に開けることが出来ない備え付けケース３を置き、使用者がボタン５やセンサー６などにより、カプセル型せっけんを取り出し口７より取り出し使用することでケース内の安全と衛生管理が出来る。
【００１８】
また、補充する際も鍵部８を解錠しふた部４を開け、図５の詰替えパック９から容易に補充出来る。ハンドソープのようにふたを開け、プッシュポンプを置き、詰替えパックから液状石鹸を補充し、こぼれたりする手間が省ける。
【００１９】
【発明の効果】
以上説明したように、この発明は、携帯性に優れているだけではなく、使い勝手、ファッション性にも優れ、いろいろな形状からキャラクター性もあり、小さな子供にも手を洗うことの楽しさが芽生え、衛生管理、病気等の減少が図られる効果を奏するものである。
【図面の簡単な説明】
【図１】本発明の切断図である。
【図２】本発明の実施例の斜視図である。
【図３】本発明の実施例の携帯用ケースに入れた斜視図である。
【図４】本発明の実施例の備え付けケースに入れた斜視図である。
【図５】本発明の実施例の備え付けケースに補充する詰替えパックの斜視図である。
【符号の説明】
１・・・皮膜成分
２・・・石鹸成分
３・・・ケース
４・・・ふた部
５・・・ボタン
６・・・センサー
７・・・取り出し口
８・・・鍵部
９・・・詰替えパック
【図１】
2004277490.tif 000003
【図２】
2004277490.tif 000004
【図３】
2004277490.tif 000005
【図４】
2004277490.tif 000006
【図５】
2004277490.tif 000007
(57)【要約】【課題】タイピング時において指先をキーボードによる刺激から保護しより快適なタイピング環境を生み出すと同時にタイピングによる筋骨格障害などの身体的障害の発生を減少させること。また冷房機具や天候により表面温度の低下したキーから指先を保護するためのタイピング用指先パッド。【解決手段】粘着性シート（１）の粘着面（２）に布（３）を配置させたタイピング用指先パッドを指先の腹（４）に接着させる。【選択図】    図１
2004277981.tif 000002
【特許請求の範囲】
【請求項１】
粘着性シート（１）の粘着面（２）に布（３）を配置したタイピング用指先パッド。
【発明の詳細な説明】
【０００１】
【発明の属する技術分野】
この発明は、タイピングをする状況において指先を保護するためのパッドに関するものである。
【０００２】
【従来の技術】
従来、タイピングをする状況においてはキーを指で直に叩いてきた。
【０００３】
【発明が解決しようとする課題】
そのために次のような欠点があった。
（イ）キーから直接に指先に刺激を受け不快感を得てきた。またそのために長時間タイピングをしていると疲労を感じやすかった。
（ロ）キーから直接に、指にタイピングに伴う衝撃を受けるため、長時間のタイピングやキーボードの性格によって筋骨格障害などの身体的障害を被る可能性を否定できなかった。
（ハ）冷房機具や天候により表面温度の低下したキーにより指先の感覚が鈍化しタイピングを続行することが困難になってきた。
本発明は以上の点を解決するためのものである。
【０００４】
【課題を解決するための手段】
粘着性シート（１）の粘着面（２）に布（３）を配置したタイピング用指先パッド。
【０００５】
【発明の実施の形態】
粘着性シート（１）の粘着面（２）の中央に木綿製の織布を配置させそれを指先の腹（４）を中心に巻きつけ接着させる。
【０００６】
本発明の実施の形態では木綿製の織り布を例に説明したが、綿製の不織布やフェルト生地など、その他の布でも同様に製作できる。
【０００７】
【発明の効果】
（イ）タイピング時において指とキーとが直に触れ合うことがなく、布がクッションの役割を果たすので指先に刺激を受けにくく、快適なタイピング環境を生み出すことが出来る。またそのため長時間のタイピングによっても疲労感を得にくくなる。
（ロ）布がクッションになってくれるためにタイピング時において指や腕に対する負担を軽減することが出来、そのために筋骨格障害などの身体的障害の発生を軽減することが出来る。
（ハ）冷房機具や天候によって表面温度の低下したキーから指を保護することが出来、指先の体温低下を回避することが出来るので、タイピングにおける生産性の低下を回避していくことが出来る。またタイピングを持続させていくことが出来る。
【図面の簡単な説明】
【図１】本発明の正面図
【図２】本発明の使用説明図
【符号の説明】
（１）    粘着性シート
（２）    粘着面
（３）    布
（４）    指先の腹
【図１】
2004277981.tif 000003
【図２】
2004277981.tif 000004
(57)【要約】      （修正有）【課題】マフラーを効果的に活用し、落下による紛失事故を防止することの出来るマフラーを提供する。【解決手段】首に付けて防寒具として用いるもので、２本のマフラーを仮止め具でリング状とした分割式リングマフラーを、２ッの小さなリングにして首に巻くものとし、仮止めした片方の部分を正面にして下げると、他方のリングは首を締め付ける状態になるので、リングを下げる具合を調整して適度な感触にして着用する分割式リングマフラーとする。【選択図】図１
2004277984.tif 000002
【特許請求の範囲】
【請求項１】
首に付けて防寒具として用いるもので、２本のマフラーを仮止め具でリング状とした分割式リングマフラーを、２ッの小さなリングにして首に巻くものとし、仮止めした片方の部分を正面にして下げると、他方のリングは首を締め付ける状態になるので、リングを下げる具合を調整して適度な感触にして着用する分割式リングマフラー。
【発明の詳細な説明】
【０００１】
【発明の属する技術分野】
本発明は首に巻いて防寒具となるマフラーに関する。
【０００２】
【従来の技術】
従来のマフラーは、手拭い状のものを首に掛け、あるいは巻き付けて着用していた。そのため、落下による紛失事故が多かった。
【０００３】
【発明が解決しようとする課題】
従来のマフラーは単に首に掛けるとした場合、防寒効果は巻いた時と比べると半分であり、巻き付ける方法もあるが紛失事故は無くならない。よって、マフラーを効果的に活用し、落下による紛失事故を防止するマフラーを提供する。
【０００４】
【課題を解決するための手段】
首に付けて防寒具として用いるもので、２本のマフラーを仮止めしてリング状とした分割式リングマフラーを、２ッの小さなリングにして首に巻くものとし、仮止めした片方の部分を正面にして下げると、他方のリングは首を締め付ける状態になるので、リングを下げる具合を調整して適度な感触にして着用する分割式リングマフラーとする。
【０００５】
【発明の実施の形態】
以下、実施の形態により本発を詳細に説明する。
分割式リングマフラーに於いて、なぜ分割式とするのかその理由は、安全上によるもので分割にしないと首が締め付けられる恐れが多分にあり、何かにマフラーが引掛ったても外れる構造とすることで安全なマフラーとなる。ただし、幼児等小供には着用させない方がよい。
【０００６】
マフラーの継手に付ける仮止め具としては、面ファスナーや小さな押え具等で、引張ると外れるものなら何んでもよい。いずれによ、適度な強度とする。
【０００７】
２ッのマフラーの長さが同等だと、継手位置が首の正面にくるので見た目が悪いので、マフラーの長さを１０ｃｍから１５ｃｍ程度変えるとファッション的によい。
【０００８】
【発明の効果】
首廻り全面を被うので防寒効果が高まり、かつ、リングなので落下による紛失事故がなくなる。又、二重リングとすることでスッキリまとまり、ファッション的にも有益となる。
【図面の簡単な説明】
【図１】分割式リングマフラーとそれを着用した姿図である。
【符号の説明】
１は分割式リングマフラー。  ２は仮止め具。
【図１】
2004277984.tif 000003
(57)【要約】【課題】本発明は、後衿ぐりを深くし前衿ぐり、前身頃巾にゆとりをもたせ、着付けが容易にでき、着くずれを解消し、着付後の動作がしやすく、和服姿を美しく保てる為の和装肌着。【解決手段】右前身頃（２ａ）左前身頃（３ａ）に巾出し分（２ａ、３ｂ）をプラスし、衿から身頃にかけて曲線裁ちにしギャザー（６ａ、６ｂ）を入れて、前身頃打合せ部分にゆとりをもたせる。打合せ部分の止めをマジックテープ（５ａ、５ｂ）とする。後衿ぐり（１ｂ）は深くする。衿ぐりから身頃の縁止りはバイヤステープ（９）にする。全体を晒地にする。【選択図】図１
2004277976.tif 000002
【特許請求の範囲】
【請求項１】
右前身頃（２ａ）に巾出し分（２ｂ）左前身頃（３ａ）に巾出し分（３ｂ）をプラスし、前身頃打合せ部分にゆとりをもたせたことを特徴とする和装肌着。
【請求項２】
右前身頃（２ａ、２ｂ）左前身頃（３ａ、３ｂ）の衿ぐりから曲線裁ちにしてカーブを出し、その部分にギャザー（６ａ、６ｂ）を入れた請求項１に記載の和装肌着。
【請求項３】
後衿ぐりを深くしていることを特徴とする和装肌着。
【請求項４】
右前身頃（２ａ）と左前身頃（３ｂ）の打合せ部分の止めをマジックテープ（５ａ、５ｂ）にしたことを特徴とする和装肌着。
【請求項５】
全体に晒を使用している和装肌着。
【発明の詳細な説明】
【０００１】
【発明に属する技術分野】
この発明は、和服を着用するにあたり、特に前身頃の打合せ部分を改善し、和服着用時に無理に身体を締めつけずに、ゆったりと着ることができ長時間着用しても、衿・胸元部分の着くずれがなく美しい和服姿のできる和装肌着である。
【０００２】
【従来の技術】
従来の肌着は右前身頃、左前身頃共に巾が少なく衿から見頃にかけて直線裁ちである。前身頃打合せ部分の止めがない。後衿ぐりが浅い。全体にガーゼを使用している。
【０００３】
【発明が解決しようとする課題】
従来の商品の欠点
（イ）右前身頃、左前身頃の巾が少ないことで、打合せ部分にゆとりがなく胸元がはだけてしまう。
（ロ）はだけないように、打合せを深く着付けすると胸元を締めつけすぎて着付け後肌着の衿が上着より表に見えてしまう。
（ハ）胸元を締めつけすぎて、着付け後の動作がしにくい。
（ニ）Ｍ寸Ｌ寸のサイズは身巾のみのサイズで、バストの大小の計らいがない。
（ホ）前身頃打合せ部分の止めがないので、着付けそのものが容易でない。
又、紐などの止めでは、着付け後薄地の着物などの時は上衣の表に凹凸ができる。
（ヘ）後衿ぐりが浅いので、着付け後長襦袢の衿よりも表に出てしまうことがある。
（ト）ガーゼ地は夏シーズン汗をかくと肌につき、さらりとした着心地がなく暑い。又、洗濯を重ねるうちに型くずれしやすい。
【０００４】
【課題を解決するための手段】
本発明は、右前身頃（２ａ）に巾出し分（２ｂ）、左前身頃（３ａ）に巾出し分（３ｂ）をプラスする。右前身頃（２ａ、２ｂ）左前身頃（３ａ、３ｂ）と前衿ぐりを曲線裁ちにしカーブを入れ、その部分にギャザー（６ａ、６ｂ）を入れる。右前身頃（２ａ）左前身頃（３ａ）の打合せ部分の止めをマジックテープで縁止りする。全体を晒地にする。本発明は以上の構成により問題点を解決している。
【０００５】
【発明の実施の形態】
（イ）吸汗性あり、型くずれしない晒を全体に使用する。
（ロ）右前身頃（２ａ）に巾出し分（２ｂ）を縫いつける。
（ハ）左前身頃（３ａ）に巾出し分（３ｂ）を縫いつける。
（ニ）右前身頃（２ａ、２ｂ）にギャザー（６ａ）を入れる。
（ホ）左前身頃（３ａ、３ｂ）にギャザー（６ｂ）を入れる。
（ヘ）後身頃（１）に右前身頃（２ａ）を縫い合わせる。
（ト）後身頃（１）に左前身頃（３ａ）を縫い合わせる。
（チ）前身頃と衿ぐり全体をバイヤステープ（９）で縁止りする。
（リ）左右の袖口にレース（７ａ、７ｂ）を縫いつける。
（ヌ）身頃に両袖（４ａ、４ｂ）を縫い合わせる。
（ル）身頃（２ａ、３ｂ）にマジックテープ（５ａ、５ｂ）を縫いつける。
本発明は以上の構成になっている。
【０００６】
【発明の効果】
本発明の肌着を使用することによって、今迄の締めつけすぎる着物の着付けから解消される。従来にはない衿から前身頃への深いギャザーにより、打合せ部分がゆったりとして、バストの大小にかかわらず、又鳩胸などで着付け後はだけやすい体型の人にも楽にフィットし長時間の和服姿が着くずれしない。打合せ部分にゆとりがあるので乳房のおさまりが良くなり、和装ブラジャーなどを着用しなくても着付けが美しくできる。身頃打合せの止めをマジックテープにすることで、着付けが簡単にでき、紐で止めた後のように表面にひびくことがない。後衿ぐりが深いので着付け後長襦袢の衿より表に出るようなことがない。全体に晒しを使用し、吸汗性もあり夏シーズンはさらりとした着心地である。又バイヤステープ縁止りで洗濯による型くずれを防ぐことができる。着付けは一番下に着る肌着が大切で長時間着用してもはだけないことが着くずれ防止の重要なポイントである。若い女性の豊かなバストでもゆったりと着付けすることができ締めつけず着くずれのない和服姿を保つ為の着心地の良い和装肌着である。
【図面の簡単な説明】
【図１】本発明の一実施例に係る和装肌着の正面図である。
【図２】本発明の使用状態を示した斜視図である。
【符号の説明】
１ａ  後身頃
１ｂ  後衿ぐり
２ａ  右前身頃
２ｂ  右前身頃巾出し分
３ａ  左前身頃
３ｂ  左前身後巾出し分
４ａ  右袖
４ｂ  左袖
５ａ  マジックテープ
５ｂ  マジックテープ
６ａ  右前身頃ギャザー
６ｂ  左前身後ギャザー
７ａ  右袖口レース
７ｂ  左袖口レース
８ａ  右前脇下スリット
８ｂ  左前脇下スリット
９  バイヤステープ縁止り
【図１】
2004277976.tif 000003
【図２】
2004277976.tif 000004
(57)【要約】      （修正有）【課題】ポリオキシエチレンジカルボン酸エステルに油剤を組み合わせることで毛髪及び頭皮を洗浄する毛髪及び頭皮ケア組成物の提供。【解決手段】下記化学式（１）で表わされるポリオキシエチレンジカルボン酸エステルを洗浄剤とし、その洗浄剤で頭皮を洗浄することを特長とする毛髪及び頭皮のケア組成物。2004277343.tif 000005（式中、Ｒ１、Ｒ２は水素または炭素数１〜４のアルキルまたは分枝アルキル基、ｍ、ｎ、Ｘ、Ｙは０〜５の整数で同時に０にはならない。Ｒ３は炭素数０〜１０の分枝または直鎖のアルキレン基）【選択図】なし【特許請求の範囲】
【請求項１】
下記化学式（１）で表わされるポリオキシエチレンジカルボン酸エステルを洗浄剤とし、その洗浄剤で頭皮を洗浄することを特長とする毛髪及び頭皮ケア組成物。
【化１】
2004277343.tif 000003
2004277343.tif 000004
（式中、Ｒ１、Ｒ２は水素または炭素数１〜４のアルキルまたは分枝アルキル基、ｍ、ｎ、Ｘ、Ｙは０〜５の整数で同時に０にはならない。Ｒ３は炭素数０〜１０の分枝または直鎖のアルキレン基）
【請求項２】
化学式（化１）で示されるポリオキシエチレンジカルボン酸エステルに油剤を組み合わせることで毛髪及び頭皮をケアすることを特徴とする請求項１に記載した毛髪及び頭皮ケア組成物。
【請求項３】
化学式（化１）で示されるポリオキシエチレンジカルボン酸エステルに油剤を溶解させた物を頭皮に塗布しマッサージ後、シャワー等で洗い流すことによって頭皮又は毛髪に適度な油剤が残存することを特長とする毛髪及び頭皮ケア組成物。
【請求項４】
ポリオキシエチレンジカルボン酸エステルがコハク酸ジエトキシエチルである請求項１〜３の毛髪及び頭皮ケア組成物
【発明の詳細な説明】
【０００１】
【発明の属する技術分野】本発明は毛髪及び頭皮ケアに関する。
【０００２】
【従来の技術】美しく健康な髪、清潔な髪を保つためにシャンプーに気を遣ったりヘアトリートメントを使用するなど、多くの女性は熱心にヘアケアを行っている。これに反して髪の健康と大きな関わりを持っている頭皮に関する関心度はあまり高くなく、頭皮のケアに積極的でないように思える。しかしながら頭皮に対して悩みを持っていないかと言えば必ずしもそうではない。頭皮は髪の発育と健康に非常に深い関係を有している重要な部位であると同時に毛髪に覆われているため汗、あか、フケで非常に汚れやすい部位でもある。最近ではヘアカラーを施術することによって毛髪及び頭皮おいても何らかの悩みを持っている方が多く毛髪及び頭皮に対して、更なる付加価値の高い製品の開発が望まれている。
【０００３】
【発明が解決しようとする課題】業界の技術は向上してきているが、毛髪と頭皮を同時にケア出来る付加価値の高い製品の提供が望まれている。
【０００４】
【問題を解決するための手段】請求項１記載のポリオキシエチレンジカルボン酸エステルであるコハク酸ジエトキシエチルは公知の物質であるが、種々の研究を重ねた結果、コハク酸ジエトキシエチルに油剤を０．０１〜２０．０重量％好ましくは２種以上の油剤をそれぞれ０．０１〜２０．０重量％配合することで頭皮と毛髪を同時にケアすることを見出し、本発明を完成するに至った。
【０００５】
【発明の実施の形態】以下、本発明の構成について詳述する。
【０００６】本発明の毛髪及び頭皮ケア組成物は上記化学式（１）で表わされるポリオキシエチレンジカルボン酸エステルと油脂類及び酸化防止剤を含有することを特徴とする。上記一般式（１）において、Ｒ１、Ｒ２は炭素数１〜４のアルキルまたは分岐アルキル基を表す。ｍ、ｎは０〜５の整数を表すが、好ましくは１〜２の整数であり、ｘ、ｙは０〜３の整数を表す。
【０００７】上記一般式（１）のポリオキシエチレンジカルボン酸エステルの配合量は特に限定されないが、毛髪及び頭皮ケア組成物全量に対して５０．０〜９９．９重量％、更に好ましくは８０．０〜９５．０重量％である。
【０００８】本発明に用いる油剤としては、油脂、ワックス、炭化水素油、エステル油、シリコーン油、脂溶性ビタミンが好ましく、例えばオリーブ油、マカデミアナッツ油、ツバキ油、メドウフォーム油、シア脂等の油脂類、ラノリン、ミツロウ等のワックス、流動パラフィン、スクワラン等の炭化水素油、ミリスチン酸イソプロピル、ラノリン脂肪酸オクチルドデシル、ダイマー酸ジイソプロピル等のエステル油、ジメチルポリシロキサン、メチルフェニルポリシロキサン等のシリコーン油、ビタミンＥ、ビタミンＡ等の脂溶性ビタミン等が挙げられる。これら油剤の配合量は特に限定されないが、毛髪及び頭皮ケア組成物全量に対して０．０１〜２０．０重量％、より好ましくは２種以上の油剤を０．０１〜２０．０重量％、更に好ましくはそれぞれを０．１〜１０．０重量％である。
【０００９】本発明の毛髪及び頭皮ケア組成物には、通常化粧料で使用されている任意成分を、本発明の効果を損ねない範囲に於いて、含有することが出来る。かかる任意成分としては、オレイン酸等の脂肪酸、オクチルメトキシシンナメートなどの紫外線防止剤、エタノール等の低級アルコール、防腐剤、紫外線吸収剤、抗酸化剤等が好ましく例示できる。
【００１０】本発明の用途は毛髪及び頭皮のケアをするために使用するものである。
【００１１】本発明の好適な実施について説明するが、以下の用途に限定するものではない。
【００１２】評価基準
【００１３】試験方法
下記シャンプー処方で洗髪後、テスト組成物を３０ｍｌ塗布し頭皮全体に行きわたるように３分間マッサージを行う。３分後シャワーにてテスト組成物を洗い流してそれぞれの項目について評価を行う。
【００１４】シャンプー処方
ポリオキシエチレンラウリルエーテル硫酸トリエタノールアミン  ２５．０部
ヤシ油脂肪酸アミドプロピルベタイン                          ２０．０部
塩化ナトリウム                                                ０．５部
精製水                                                      全量を１００にする
【００１５】洗浄性評価
マイクロスコープで頭皮の状態を観察
○：頭皮がきれいである
△：頭皮がやや汚れている
×：頭皮が汚れている
【００１６】官能評価
【００１７】使用感
塗布時の使用感について評価
○：なめらかな感触
△：ややきしむ感触
×：明らかにきしむ感触
【００１８】なめらかさ
塗布して洗い流した後の毛髪の感触について評価
○：なめらかな感触
△：ややきしむ感触
×：明らかにきしむ感触
【００１９】べたつき感
塗布して洗い流した後の毛髪の感触について評価
○：べたついた感触がない
△：ややべたつく感触
×：明らかにべたつく感触
【００２０】つや
○：毛髪につやがある
△：毛髪に若干つやがある
×：毛髪につやがない
【００２１】処方
2004277343.tif 000002
製造方法
すべての原料を温度５０℃で均一に溶解する。
【００２２】発明の効果
請求項１記載のポリオキシエチレンジカルボン酸エステルに油剤２種以上を配合することで頭皮の洗浄と毛髪と頭皮の感触、外観が向上した。
【００２３】
(57)【要約】［課題］不快な匂いや苦みがある医薬品は飲みにくい。とくに小児は口に入れても吐き出してしまい、次回からは拒否して服用させるのに難渋する。チョコレートを利用してこれを解決する。［解決手段］薬の飲みにくい不快な匂いや苦みを消すか和らげて、飲み易くするため、小児も好む強力な味と香りのおいしいチョコレートで、カプセルや錠剤、顆粒や細粒などをコーティンする。また、顆粒、細粒、散剤はその賦形剤にチョコレートを使用する。【選択図】    図１
2004277394.tif 000002
【特許請求の範囲】
【請求項１】
医薬品の錠剤やカプセル、顆粒や細粒を飲み易くするため、チョコレートでコーティングする。
【請求項２】
医薬品の顆粒、細粒や散剤を飲みやすくするため、その賦形剤にチョコレートを使用する。
【発明の詳細な説明】
【０００１】
［発明の属する技術分野］
医薬品の不快な匂いや苦みのため、薬は飲みにくいものがある。とくに、小児に飲ませるには、親も医師も難渋しているものが多い。
小児も喜んで飲めるようにするため、カプセルや錠剤、顆粒や細粒をチョコレートでコーティングして飲み易くする。また、顆粒、細粒、散剤はその賦形剤にチョコレートを使用する。
【０００２】
［従来の技術］
従来の錠剤は、糖衣錠として、単に甘くしてあるか、顆粒、細粒には甘みと芳香がつけてあるが、薬の不快な匂いや苦みを消すことはできないので、多くの小児は吐き出してしまい、次回からは拒否して服用させるのに難渋することが多い。
【０００３】
［発明実施の形態］
医薬品のカプセルや錠剤、顆粒や細粒をチョコレートでコーティングする。
顆粒、細粒や散剤には、その賦形剤にチョコレートを使用する。
【０００４】
［発明の効果］
医薬品のカプセルや錠剤、顆粒や細粒をチョコレートでコーティングすることにより、また、顆粒、細粒や散剤剤の賦形剤にチョコレートを使用することにより、糖よりも強力なチョコレートの味と香りとおいしさで、薬品の不快な匂いと苦みが消され、飲み込みやすくなり、もし噛み潰しても苦にならず、乳幼児、小児も薬を吐き出したりせず、正確な量を容易に服用させることができる。
【図面の簡単な説明】
【図１】チョコレートでコーティングした錠剤、顆粒などの断面図
【図２】賦形剤にチョコレートを使用した顆粒、細粒、散剤
［記号の説明］
１  医薬品
２  医薬品をコーティングするチョコレート
３  顆粒、細粒、散剤などの賦形剤に使用したチョコレート
【図１】
2004277394.tif 000003
【図２】
2004277394.tif 000004
(57)【要約】【課  題】地球上で古くから広範囲に利用されているニームの成分を使い、環境と人体に影響がなく、持続性があり、蚊の卵・幼虫・成虫に対する忌避方法。【解決手段】ニームの成分であるサラセチン・サランニン・アザディラクチンと精製水と石けん成分を使い、石けん・シャンプーを製作。及び、肌スプレーを製作し、使用すること。及び吸水ゲルカ剤並びにゼラチン並びに蝋並びに線香成分に吸収させることを特徴とする蚊の忌避方法。【選択図】なし【特許請求の範囲】
【請求項１】
ニームの成分であるサラセチン・サランニン・アザディラクチンと精製水と石けん成分を使い、石けん・シャンプーを製作し、使用することを特徴とする蚊の忌避剤の方法である。
【請求項２】
ニームの成分であるサラセチン・サランニン・アザディラクチンと精製水と石けん成分を使い液体にし、吸水ゲルカ剤並びにゼラチン並びに蝋並びに線香成分に吸収させることを特徴とする蚊の忌避剤の方法である。
【請求項３】
ニームの成分であるサラセチン・サランニン・アザディラクチンと精製水と石けん成分を使い液体にし、肌スプレーを製作し、使用することを特徴とする蚊の忌避剤である。
【発明の詳細な説明】
【０００１】
【発明の属する技術分野】
この発明は、蚊の忌避剤に使用する液体、固体とする。
【０００２】
【従来の技術】
従来の蚊の忌避剤に使用する成分はケミカル成分や除虫菊の成分で直接処理する事が知られている。
【０００３】
【発明が解決しようとする課題】
しかしながら、ケミカル成分や除虫菊の成分で直接処理する事が知られているが、人体や環境に対して悪影響を与えることが近年周知の知る事となった。そこで、この発明は、地球上で古くから広範囲に利用されているニームの成分であるサラセチン・サランニン・アザディラクチン使い、環境と人体に影響がなく、持続性があり、蚊の卵・幼虫・成虫に対する忌避効果製品を提供する事を課題とする。
【０００４】
【課題を解決するための手段】地球上で古くから広範囲に利用されて、いるニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、石けん・シャンプーを製作し、使用後の二次的効果のことを特徴とする蚊の忌避剤の方法である。
【０００５】地球上で古くから広範囲に利用されているニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、吸水ゲルカ剤並びにゼラチン並びに蝋並びに線香成分に吸収させることを特徴とする蚊の忌避剤の方法である。
【０００６】地球上で古くから広範囲に利用されているニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、肌スプレーに使った蚊の忌避剤のことを特徴とする蚊の忌避剤の方法である。
【０００７】地球上で古くから広範囲に利用されているニームの木の成分であるサラセチン・サランニン・アザディラクチンは公知の物であり用意に入手できる。
【０００８】
【発明の効果】本発明によれば、地球上で古くから広範囲に利用されているニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、石けん・シャンプーを製作し、使用後の二次的効果のことを特徴とする蚊の忌避剤を提供ができる。
【０００９】
本発明によれば、地球上で古くから広範囲に利用されているニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、吸水ゲルカ剤並びにゼラチン並びに蝋並びに線香成分に吸収させることを特徴とする蚊の忌避剤を提供ができる。
【００１０】
本発明によれば、地球上で古くから広範囲に利用されているニームの成分であるサラセチン・サランニン・アザディラクチン使い、環境と人体に影響がなく、持続性があり、ニームの成分であるサラセチン・サランニン・アザディラクチンと精製水と石けん成分を使い液体とし、肌スプレーに使った蚊の忌避剤のことを特徴とする蚊の忌避剤を提供ができる。
(57)【要約】〔課題〕従来は目薬のような、形式のものが主であった。薬草、野菜の成分を清酒に溶出、３週間以上を経過させ、液体を取り出す。この液体にさらに薬草、野菜の成分を溶抽出液体化させる。この純植物成分のみの液体水が目拭きとり水となる。上記のような過程で、目拭きとり水を作り出した。拭く事により、目の汚れを分解排出させて、消毒、殺菌をして活力を与える。このように優れた効果で生々とした青い目をとり戻し、視力を上げるものである。目を拭く目拭きとり水を提供する。〔解決手段〕従来は、効果の優れた目に関するものは余りない。目に良い植物成分を清酒に溶抽出させる方法で、防腐済を含まない目拭きとり水を作り出した。カビの生じないのを植物の成分が補っているのが特徴とする。目の障害をとり除くため、１７年もの年月を重ね、１年半以上の使用結果から、安心して使える優れた効果の目拭きとり水を提供するものである。緑内障の元になる汚れの固形物まで、排出させる力をもっているので、緑内障も防ぐ事ができるのである。【特許請求の範囲】
【請求項１】
（イ）薬草、野菜を清酒に３週間以上を溶出させる。溶出液をとり出す。
（ロ）（イ）の溶出液にさらに薬草、野菜を溶抽出させ、とり出した液体成分を目拭きとり水として使う。
以上のように構成された目拭きとり水。
【発明の詳細な説明】
この発明は、目に良い植物成分を液体化させ、目の汚れを分解排出させて、活力を与える事により、目の障害を防ぎ視力を上げる目拭きとり水に関するものである。
〔従来の技術〕
従来の目に関するものは、目に直接、入れるものが多く、拭く形式のものは少ない。効果も長引いているように思われる。
この目拭きとり水は、テイシユペーパ等に少量を含ませて、目の内側、上下まぶた、涙線、目尻を拭く事により、消毒、汚れを排出させて活力を与える。
優れた純植物成分が改善を行ない視力を上げる。液体化させて使い安くしたものである。トラブルや、朝、夕、拭くだけで改善する。
この発明は、眼球を膜を被った汚れをとり除く事により、目の障害は改善されるのではという思いに至り、考えて作ったものである。
目拭きとり水は、植物の成分のみで、刺激のない、気持の良い使用感で優れた効果を持っているものである。
涙目、充血、ものもらい、ドライアイ等は即効性を持ち改善される。（ロ）の溶抽出液は４〜５日からでも使用できる。
弱視、乱視を治している。眼鏡の度を軽くする。白内障は進行を止めて治す。飛蚊症、ぶどう黒球斑は使用している間に改善される。
１年半以上を経過した現在、地域の人々に使用されている。
〔図１〕
（イ）（ロ）作り方
【図１】
2004277395.tif 000002
【手続補正書】
【提出日】平成15年8月7日(2003.8.7)
【手続補正１】
【補正対象書類名】明細書
【補正対象項目名】図面の簡単な説明
【補正方法】変更
【補正の内容】
【図面の簡単な説明】
【図１】
〔図１〕は、目拭きとり水が出来るまでの、工程の順位を示すものである。
又、作成に使用した、清酒、ｌ、薬草のｇ枚数日数、これらを明確に記したものである。
(57)【要約】【課題】従来、ガン、糖尿病、白血病、不眠症の治療は外科手術、放射線治療、投薬治療などで対処するのが通常である。また、若返り、細胞の活性化、免疫細胞の増加に効果がある健康食品が多数販売されている。しかしながら現実において、従来の治療や健康食品による体質改善が治療として成果が上がらないことがあった。【解決手段】本発明は、ガン、糖尿病、白血病、不眠症の治療および若返り、細胞の活性化、免疫細胞の増加の促進を重水素減少水（スーパーライトウォーター）をもろみの仕込み水として使用した日本酒によって、より効果的に行なうことである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）をもろみの仕込み水として使用した日本酒によるガン、糖尿病、白血病、不眠症の治療および若返り、細胞の活性化、免疫細胞の増加の促進を行う。
【請求項２】
重水素濃度が１４０ｐｐｍ以下の重水素減少水（スーパーライトウォーター）と水を混合し、重水素濃度を任意の重水素濃度に設定し日本酒のもろみの仕込み水として使用する。
【発明の詳細な説明】
【０００１】
【発明の属する技術分野】
本発明は、ガン、糖尿病、白血病、不眠症の治療および若返り、細胞の活性化、免疫細胞の増加の促進を重水素減少水（スーパーライトウォーター）をもろみの仕込み水として使用した日本酒を飲用することによっておこなうものである。
【０００２】
【従来の技術】
一般にガン、糖尿病、白血病、不眠症の治療は外科手術、放射線治療、投薬治療などで対処するのが通常であるが、この場合、当人が病院や診療所に直接行って治療を受ける。
【０００３】
また、若返り、細胞の活性化、免疫細胞の増加に効果がある健康食品が多数販売されている昨今において、さまざまな健康食品を入手して体質改善をする対象者が増えている。
【０００４】
【発明が解決しようとする課題】
しかしながら現実において、従来の治療や健康食品による体質改善が治療として成果が上がらないこともあった。
【０００５】
【課題を解決するための手段】
本発明者等は係る課題を解決するために鋭意研究したところ、ガン、糖尿病、白血病、不眠症の治療および若返り、細胞の活性化、免疫細胞の増加の促進のための重水素減少水（スーパーライトウォーター）をもろみの仕込み水として使用した日本酒を開発して、本発明を提供するものである。
【０００６】
すなわち本発明はガン、糖尿病、白血病、不眠症の治療および若返り、細胞の活性化、免疫細胞の増加の促進に最適な重水素減少水（スーパーライトウォーター）をもろみの仕込み水として使用した日本酒を飲用し、体内の重水素濃度を低下させることを特徴とするガン、糖尿病、白血病、不眠症の治療および若返り、細胞の活性化、免疫細胞の増加の促進方法であり、新陳代謝が活発になるとホルモンの分泌が良くなり、脳内ホルモン（メラトニン）が分泌され深い良質の睡眠が取れる。睡眠によりＮＫ細胞が増加し異常細胞を除去して正常細胞を複製し若返る。
【０００７】
【発明の実施の形態】
本発明は重水素減少水（スーパーライトウォーター）をもろみの仕込み水として使用した日本酒を飲用しより効果的に体内の重水濃度を低下させる。
【０００８】
重水素濃度が１４０ｐｐｍ以下になるとたんぱく質結合が弱くなり、新陳代謝が高まり分解しやすくなる。結合が弱くなった癌細胞をＮＫ細胞や抗癌剤で壊死させる。
【０００９】
新陳代謝が高まることにより若返り、細胞の活性化、免疫細胞の増加の促進の効果がある。
【００１０】
重水素減少水（スーパーライトウォーター）をもろみの仕込み水として使用した日本酒の製造は、重水素減少水（スーパーライトウォーター）と水を混合し、重水素濃度を任意の重水素濃度に設定した重水素減少水（スーパーライトウォーター）を従来の日本酒製造工程において、もろみの仕込み水として使用することによって製造することができる。
【００１１】
【発明の効果】
以上説明したように、本発明によれば重水素濃度１４０ｐｐｍ以下の重水素減少水（スーパーライトウォーター）をもろみの仕込み水として使用した日本酒を飲用し、体内の重水素濃度を低下させることにより、新陳代謝を高め、結合の弱くなったガン細胞をＮＫ細胞や抗癌剤で壊死させることが可能となる。また、新陳代謝が高まることにより若返り、細胞の活性化、免疫細胞の増加の促進の効果がある。また、重水素減少水（スーパーライトウォーター）をもろみの仕込み水使用した日本酒は、従来の日本酒製造工程において、重水濃度を任意に設定してもろみの仕込み水として使用することによって容易に製造することが可能である。
(57)【要約】【課題】本発明は、さらさらして、保湿効果を有する混合乳液を提供すること。【解決手段】ゆずの種に、アルコール類や酒（アルコール）を加えて作ったローションと、ビタミン酢酸エステルと、グリチル酸と、ｄｌ−カンフルと、グリセリンを混合した。【特許請求の範囲】
【請求項１】
ゆずの種に、アルコール類や酒（アルコール）を加えて作ったローションと、ビタミン酢酸エステルと、グリチル酸と、ｄｌ−カンフルと、グリセリンとを混合してなる混合乳液。
【発明の詳細な説明】
【０００１】
【発明に属する技術分野】
本発明は、さらさらして、保湿効果を有する、混合乳液に関する。
【０００２】
【従来の技術】
例えば、冬期には、皮膚が乾燥して、肌や、手、足がかさかさとなり、ひびが切れたり、ごわごわしたり、かゆみがあったりすることがある。これを防ぐために、市販のハンドクリーム、ボディークリームを肌等につけることがある。
【０００３】
【発明が解決しようとする課題】
従来のハンドクリームやボディークリームは、塗布したときに違和感があった。
【０００４】
本発明は、塗布しても不快なベタつきがなく、手袋、くつ下、衣類を付けたときでも、違和感のない混合乳液を提供することを目的とする。
【０００５】
【課題を解決するための手段】
本発明は、ゆずの種に、アルコール類や酒（アルコール）を加えて作ったローションと、ビタミン酢酸エステルと、グリチル酸と、ｄｌ−カンフルと、グリセリンの混合乳液である。
【０００６】
【発明の実施の形態】
本発明に係る混合乳液は、ゆずの種に、アルコール類や酒（アルコール）を加えて作ったローションと、ビタミン酢酸エステルと、グリチル酸と、ｄｌ−カンフルと、グリセリンを混合してなる。
より詳しくは、ゆずは種類に関係なく、大きいものでも、小さいものでもよい。次に、アルコール類とは、焼酎、酒などのアルコール飲料やエタノールを意味する。
【０００７】
【発明の効果】
本発明によれば、この混合乳液を塗布した後は、皮膚によく浸透して、しんなりと、やわらかく、さらりとした感じで、かくれたしっとり感があり、手ぶくろや、くつ下や、衣類を付けても、違和感がなく快適である。